(57)【要約】【課題】本発明は、アクチュエータを複数積層することで構成されるアクチュエータユニットにおける各アクチュエータの制御精度の低下を抑制することが可能な技術を提供することを目的とする。【解決手段】アクチュエータユニットを構成する各アクチュエータが、ハウジング内に、シャフトをその軸方向に移動させる直動モータを備えている。そして、アクチュエータユニットにおいて、隣り合う二つのアクチュエータにおける互いの直動モータの位置が重なり合わないように複数の前記アクチュエータが積層されている。【選択図】図５
2020065426.tif 000002
【特許請求の範囲】
【請求項１】
シャフトが、その先端部が突出した状態でハウジング内に収容されており、該シャフトの先端部にワークを吸い付けて該ワークをピックアップするアクチュエータが、複数積層されることで構成されるアクチュエータユニットであって、
前記アクチュエータが、前記ハウジング内に、前記シャフトをその軸方向に移動させる直動モータを備え、
隣り合う二つの前記アクチュエータにおける互いの前記直動モータの位置が重なり合わないように複数の前記アクチュエータが積層されている、
アクチュエータユニット。
【請求項２】
前記アクチュエータにおいて、
前記シャフトが、前記ハウジングにおける該シャフトの軸方向と直交する方向の中央に配置されており、且つ、
前記ハウジング内において、前記シャフトを挟んで、該シャフトの軸方向と直交する方向の両側に形成される二つの領域のうちの一方に、前記直動モータが配置されており、
前記アクチュエータユニットにおいて、
隣り合う二つの前記アクチュエータの、前記シャフトの軸方向と直交する方向における前記シャフトの位置が同一となり、且つ、隣り合う二つの前記アクチュエータの表裏が互い違いとなるように、複数の前記アクチュエータが積層されている、
請求項１に記載のアクチュエータユニット。
【請求項３】
請求項１または２に記載のアクチュエータユニットを構成するアクチュエータであって、
前記シャフトが、前記ハウジングにおける該シャフトの軸方向と直交する方向の中央に配置されており、且つ、
前記ハウジング内において、前記シャフトを挟んで、該シャフトの軸方向と直交する方向の両側に形成される二つの領域のうちの一方に、前記直動モータが配置されている、
アクチュエータ。 
【発明の詳細な説明】
【技術分野】
【０００１】
本発明は、ピックアンドプレイスを行うアクチュエータを複数積層することで構成されるアクチュエータユニットに関する。
【背景技術】
【０００２】
従来、シャフトによってワークをピックアップするとともに、ピックアップしたワークを所定の位置に該シャフトによってプレイスする、といった一連の動作（ピックアンドプレイス）を行うアクチュエータが知られている（例えば、特許文献１参照）。このようなピックアンドプレイスを行うアクチュエータにおいては、中空のシャフトの先端部をワークに押し付けた状態で該シャフトの内部を負圧にすることで、該シャフトの先端部にワークを吸い付けて、ワークをピックアップする。
【先行技術文献】
【特許文献】
【０００３】
【特許文献１】特許第５１１３５３４号公報
【発明の概要】
【発明が解決しようとする課題】
【０００４】
上記のようなアクチュエータを複数積層することで、アクチュエータユニットを構成する場合がある。ここで、アクチュエータは、シャフトをその軸方向に移動させる直動モータを備えている。そして、複数のアクチュエータが積層されることで構成されたアクチュエータユニットでは、隣り合う二つのアクチュエータにおいて互いの直動モータの位置が重なり合うと、それぞれの直動モータ間の距離が比較的近くなる。その結果として、一方の直動モータから発生する磁界が他方の直動モータに達してしまうと、その磁界が該他方の直動モータの挙動に対して影響を与えてしまう可能性がある。そうなると、アクチュエータユニットにおける各アクチュエータの制御精度（シャフトの軸方向における移動の制御）が低下してしまう虞がある。
【０００５】
本発明は、上記のような問題に鑑みてなされたものであって、アクチュエータを複数積層することで構成されるアクチュエータユニットにおける各アクチュエータの制御精度の低下を抑制することが可能な技術を提供することを目的とする。
【課題を解決するための手段】
【０００６】
本発明に係るアクチュエータユニットは、
シャフトが、その先端部が突出した状態でハウジング内に収容されており、該シャフトの先端部にワークを吸い付けて該ワークをピックアップするアクチュエータが、複数積層されることで構成されるアクチュエータユニットであって、
前記アクチュエータが、前記ハウジング内に、前記シャフトをその軸方向に移動させる直動モータを備え、
隣り合う二つの前記アクチュエータにおける互いの前記直動モータの位置が重なり合わないように複数の前記アクチュエータが積層されている。
【発明の効果】
【０００７】
本発明によれば、アクチュエータを複数積層することで構成されるアクチュエータユニットにおける各アクチュエータの制御精度の低下を抑制することができる。
【図面の簡単な説明】
【０００８】
【図１】実施形態に係るアクチュエータの外観図である。
【図２】実施形態に係るアクチュエータの内部構造を示した概略構成図である。
【図３】実施形態に係るシャフトハウジングとシャフトの先端部との概略構成を示した断面図である。
【図４】実施形態に係るアクチュエータユニットの概略構成図を示す図である。
【図５】図４に示すアクチュエータユニットに含まれる二つのアクチュエータそれぞれにおける直動モータの相対位置を示す図である。
【発明を実施するための形態】
【０００９】
本発明に係るアクチュエータユニットは、複数のアクチュエータが積層されることで構成されている。ここで、本発明に係るアクチュエータにおいては、シャフトが、その先端部が突出した状態でハウジング内に収容されている。そして、ワークをピックアップする際には、シャフトの先端部に負圧を発生させることで、該先端部にワークを吸い付ける。また、アクチュエータのハウジング内には、直動モータが設けられている。直動モータは、シャフトをその軸方向に移動させるモータである。
【００１０】
そして、アクチュエータユニットにおいては、隣り合う二つのアクチュエータにおける互いの直動モータの位置が重なり合わないように複数のアクチュエータが積層されている。つまり、アクチュエータユニットにおける隣り合う二つのアクチュエータそれぞれの直動モータを平面上に投影した場合に、該平面上において各直動モータの位置がずれるように、複数のアクチュエータが積層されている。
【００１１】
これによれば、隣り合う二つのアクチュエータにおける互いの直動モータの位置が重なり合ってしまう場合に比べて、各直動モータ間の距離が長くなる。そのため、一方の直動モータから発生する磁界が他方の直動モータに達し難くなる。したがって、一方の直動モータから発生する磁界が他方の直動モータに対して影響を与え難くなる。よって、本発明によれば、アクチュエータユニットにおける各アクチュエータの制御精度が低下してしまうことを抑制することができる。
【００１２】
また、各アクチュエータの直動モータからは駆動に起因する熱が発せられる場合がある。このとき、アクチュエータユニットにおいて、隣り合う二つのアクチュエータにおける互いの直動モータの位置が重なり合わないように複数のアクチュエータが積層されることで、該互いの直動モータの位置が重なり合ってしまう場合に比べて、各アクチュエータの直動モータから発せられる熱が分散され易くなる。そのため、アクチュエータユニットにおいて、直動モータから発せられる熱による各アクチュエータへの影響を小さくすることができる。
【００１３】
以下、本発明の具体的な実施例について図面に基づいて説明する。本実施例に記載されている構成部品の寸法、材質、形状、その相対配置等は、特に記載がない限りは発明の技術的範囲をそれらのみに限定する趣旨のものではない。
【００１４】
＜実施形態＞
図１は、本実施形態に係るアクチュエータ１の外観図である。アクチュエータ１は外形が略直方体のハウジング２を有しており、ハウジング２には、蓋２００が取り付けられている。図２は、本実施形態に係るアクチュエータ１の内部構造を示した概略構成図である。ハウジング２の内部に、シャフト１０の一部を収容している。このシャフト１０の先端部１０Ａ側は、中空となるよう形成されている。シャフト１０及びハウジング２の材料には、例えば金属（例えばアルミニウム）を用いることができるが、樹脂等を用いることもできる。なお、以下の説明においては、ＸＹＺ直交座標系を設定し、このＸＹＺ直交座標系を参照しつつ各部材の位置について説明する。ハウジング２の最も大きな面の長辺方向
であってシャフト１０の中心軸１００の方向をＺ軸方向とし、ハウジング２の最も大きな面の短辺方向をＸ軸方向とし、ハウジング２の最も大きな面と直交する方向をＹ軸方向とする。Ｚ軸方向は鉛直方向でもある。なお、以下では、図２におけるＺ軸方向の上側をアクチュエータ１の上側とし、図２におけるＺ軸方向の下側をアクチュエータ１の下側とする。また、図２におけるＸ軸方向の右側をアクチュエータ１の右側とし、図２におけるＸ軸方向の左側をアクチュエータ１の左側とする。また、図２におけるＹ軸方向の手前側をアクチュエータ１の手前側とし、図２におけるＹ軸方向の奥側をアクチュエータ１の奥側とする。ハウジング２は、Ｚ軸方向の寸法がＸ軸方向の寸法よりも長く、Ｘ軸方向の寸法がＹ軸方向の寸法よりも長い。ハウジング２は、Ｙ軸方向と直交する一つの面（図２における手前側の面）に相当する箇所が開口しており、この開口を蓋２００によって閉塞している。蓋２００は、例えばネジによってハウジング２に固定される。
【００１５】
ハウジング２内には、シャフト１０をその中心軸１００回りに回転させる回転モータ２０と、シャフト１０をその中心軸１００に沿った方向（すなわち、Ｚ軸方向）にハウジング２に対して相対的に直動させる直動モータ３０と、エア制御機構６０とが収容されている。また、ハウジング２のＺ軸方向の下端面２０２には、シャフト１０が挿通されたシャフトハウジング５０が取り付けられている。ハウジング２には、下端面２０２からハウジング２の内部に向かって凹むように凹部２０２Ｂが形成されており、この凹部２０２Ｂにシャフトハウジング５０の一部が挿入される。この凹部２０２ＢのＺ軸方向の上端部には、Ｚ軸方向に貫通孔２Ａが形成されており、この貫通孔２Ａ及びシャフトハウジング５０をシャフト１０が挿通される。シャフト１０のＺ軸方向の下側の先端部１０Ａは、シャフトハウジング５０から外部へ突出している。シャフト１０は、ハウジング２のＸ軸方向の中心且つＹ軸方向の中心に設けられている。つまり、ハウジング２における、Ｘ軸方向の中心およびＹ軸方向の中心を通ってＺ軸方向に延びる中心軸と、シャフト１０の中心軸１００とが重なるように、シャフト１０が設けられている。シャフト１０は、直動モータ３０によってＺ軸方向に直動すると共に、回転モータ２０によって中心軸１００の回りを回転する。
【００１６】
シャフト１０の先端部１０Ａと逆側の端部（Ｚ軸方向の上側の端部）である基端部１０Ｂ側は、ハウジング２内に収容されており、回転モータ２０の出力軸２１に接続されている。この回転モータ２０は、シャフト１０を回転可能に支持している。回転モータ２０の出力軸２１の中心軸は、シャフト１０の中心軸１００と一致する。回転モータ２０は、出力軸２１の他に、固定子２２と、固定子２２の内部で回転する回転子２３と、出力軸２１の回転角度を検出するロータリエンコーダ２４とを有する。回転子２３が固定子２２に対して回転することにより、出力軸２１及びシャフト１０も固定子２２に対して連動して回転する。
【００１７】
直動モータ３０は、ハウジング２に固定された固定子３１、固定子３１に対して相対的にＺ軸方向に移動する可動子３２を有する。直動モータ３０は、例えばリニアモータである。固定子３１には複数のコイル３１Ａが設けられ、可動子３２には複数の永久磁石３２Ａが設けられている。コイル３１Ａは、Ｚ軸方向に所定ピッチで配置され、且つ、Ｕ，Ｖ，Ｗ相の３つのコイル３１Ａを一組として複数設けられている。本実施形態では、これらＵ，Ｖ，Ｗ相のコイル３１Ａに三相電機子電流を流すことによって直動的に移動する移動磁界を発生させ、固定子３１に対して可動子３２を直動的に移動させる。直動モータ３０には固定子３１に対する可動子３２の相対位置を検出するリニアエンコーダ３８が設けられている。なお、上記構成に代えて、固定子３１に永久磁石を設け、可動子３２に複数のコイルを設けることもできる。
【００１８】
直動モータ３０の可動子３２と回転モータ２０の固定子２２とは、直動テーブル３３を介して連結されている。直動テーブル３３は、直動モータ３０の可動子３２の移動に伴っ
て移動可能である。直動テーブル３３の移動は、直動案内装置３４によってＺ軸方向に案内されている。直動案内装置３４は、ハウジング２に固定されたレール３４Ａと、レール３４Ａに組み付けられたスライダブロック３４Ｂとを有する。レール３４Ａは、Ｚ軸方向に延びており、スライダブロック３４Ｂは、レール３４Ａに沿ってＺ軸方向に移動可能に構成されている。
【００１９】
直動テーブル３３は、スライダブロック３４Ｂに固定されており、スライダブロック３４Ｂと共にＺ軸方向に移動可能である。直動テーブル３３は、直動モータ３０の可動子３２と２つの連結アーム３５を介して連結されている。２つの連結アーム３５は、可動子３２のＺ軸方向の両端部と、直動テーブル３３のＺ軸方向の両端部とを連結している。また、直動テーブル３３は、両端部よりも中央側において、２つの連結アーム３６を介して回転モータ２０の固定子２２と連結されている。なお、Ｚ軸方向上側の連結アーム３６を第一アーム３６Ａといい、Ｚ軸方向下側の連結アーム３６を第二アーム３６Ｂという。また、第一アーム３６Ａと第二アーム３６Ｂとを区別しない場合には、単に連結アーム３６という。直動テーブル３３と回転モータ２０の固定子２２とが、該連結アーム３６を介して回転モータ２０の固定子２２と連結されているために、直動テーブル３３の移動に伴って回転モータ２０の固定子２２も移動する。また、連結アーム３６は、断面が四角である。各連結アーム３６におけるＺ軸方向の上側を向く面には、ひずみゲージ３７が固定されている。なお、第一アーム３６Ａに固定されるひずみゲージ３７を第一ひずみゲージ３７Ａといい、第二アーム３６Ｂに固定されるひずみゲージ３７を第二ひずみゲージ３７Ｂという。第一ひずみゲージ３７Ａと第二ひずみゲージ３７Ｂとを区別しない場合には、単にひずみゲージ３７という。なお、本実施形態の２つのひずみゲージ３７は、連結アーム３６のＺ軸方向の上側を向く面に夫々設けられているが、これに代えて、連結アーム３６のＺ軸方向の下側を向く面に夫々設けられていてもよい。
【００２０】
エア制御機構６０は、シャフト１０の先端部１０Ａに正圧や負圧を発生させるための機構である。すなわち、エア制御機構６０は、ワークＷのピックアップ時において、シャフト１０内の空気を吸引することで、該シャフト１０の先端部１０Ａに負圧を発生させる。これによってワークＷがシャフト１０の先端部１０Ａに吸い付けられる。また、シャフト１０内に空気を送り込むことで、該シャフト１０の先端部１０Ａに正圧を発生させる。これによりシャフト１０の先端部１０ＡからワークＷを容易に脱離させる。
【００２１】
また、シャフト１０は、ハウジング２におけるＸ軸方向の中央に配置されている。そして、エア制御機構６０は、ハウジング２内において、シャフト１０を挟んで直動モータ３０とは反対側の位置に配置されている。つまり、図２において、シャフト１０を挟んで、向かって左側に直動モータ３０の固定子３１および可動子３２が配置されており、向かって右側にエア制御機構６０が配置されている。そして、ハウジング２において、直動モータ３０、シャフト１０、およびエア制御機構６０が並ぶ方向の中央に、シャフト１０が配置されている。
【００２２】
エア制御機構６０は、正圧の空気が流通する正圧通路６１Ａ（一点鎖線参照。）と、負圧の空気が流通する負圧通路６１Ｂ（二点鎖線参照。）と、正圧の空気及び負圧の空気で共用される共用通路６１Ｃ（破線参照。）とを有する。正圧通路６１Ａの一端は、ハウジング２のＺ軸方向の上端面２０１に設けられた正圧用コネクタ６２Ａに接続され、正圧通路６１Ａの他端は正圧用の電磁弁（以下、正圧電磁弁６３Ａという。）に接続されている。正圧電磁弁６３Ａは、後述するコントローラ７によって開閉される。なお、正圧通路６１Ａの一端側の部分はチューブ６１０によって構成され、他端側の部分はブロック６００に開けられた穴により構成されている。正圧用コネクタ６２Ａは、ハウジング２のＺ軸方向の上端面２０１を貫通しており、正圧用コネクタ６２Ａにはエアを吐出するポンプ等に繋がるチューブが外部から接続される。
【００２３】
負圧通路６１Ｂの一端は、ハウジング２のＺ軸方向の上端面２０１に設けられた負圧用コネクタ６２Ｂに接続され、負圧通路６１Ｂの他端は負圧用の電磁弁（以下、負圧電磁弁６３Ｂという。）に接続されている。負圧電磁弁６３Ｂは、後述するコントローラ７によって開閉される。なお、負圧通路６１Ｂの一端側の部分はチューブ６２０によって構成され、他端側の部分はブロック６００に開けられた穴により構成されている。負圧用コネクタ６２Ｂは、ハウジング２のＺ軸方向の上端面２０１を貫通しており、負圧用コネクタ６２Ｂにはエアを吸引するポンプ等に繋がるチューブが外部から接続される。
【００２４】
共用通路６１Ｃはブロック６００に開けられた穴により構成されている。共用通路６１Ｃの一端は、２つに分岐して正圧電磁弁６３Ａ及び負圧電磁弁６３Ｂに接続されており、共用通路６１Ｃの他端は、ハウジング２に形成されている貫通孔であるエア流通路２０２Ａに接続されている。エア流通路２０２Ａは、シャフトハウジング５０に通じている。負圧電磁弁６３Ｂを開き且つ正圧電磁弁６３Ａを閉じることにより、負圧通路６１Ｂと共用通路６１Ｃとが連通されるため、共用通路６１Ｃ内に負圧が発生する。そうすると、エア流通路２０２Ａを介してシャフトハウジング５０内から空気が吸引される。一方、正圧電磁弁６３Ａを開き且つ負圧電磁弁６３Ｂを閉じることにより、正圧通路６１Ａと共用通路６１Ｃとが連通されるため、共用通路６１Ｃ内に正圧が発生する。そうすると、エア流通路２０２Ａを介してシャフトハウジング５０内に空気が供給される。共用通路６１Ｃには、共用通路６１Ｃ内の空気の圧力を検出する圧力センサ６４及び共用通路６１Ｃ内の空気の流量を検出する流量センサ６５が設けられている。
【００２５】
なお、図２に示したアクチュエータ１では、正圧通路６１Ａ及び負圧通路６１Ｂの一部がチューブで構成され、他部がブロック６００に開けられた穴により構成されているが、これに限らず、全ての通路をチューブで構成することもできるし、全ての通路をブロック６００に開けられた穴により構成することもできる。共用通路６１Ｃについても同様で、全てチューブで構成することもできるし、チューブを併用して構成することもできる。なお、チューブ６１０及びチューブ６２０の材料は、樹脂等の柔軟性を有する材料であってもよく、金属等の柔軟性を有さない材料であってもよい。また、正圧通路６１Ａを用いてシャフトハウジング５０に正圧を供給する代わりに、大気圧を供給してもよい。
【００２６】
また、ハウジング２のＺ軸方向の上端面２０１には、回転モータ２０を冷却するための空気の入口となるコネクタ（以下、入口コネクタ９１Ａという。）およびハウジング２からの空気の出口となるコネクタ（以下、出口コネクタ９１Ｂという。）が設けられている。入口コネクタ９１Ａ及び出口コネクタ９１Ｂは、夫々空気が流通可能なようにハウジング２の上端面２０１を貫通している。入口コネクタ９１Ａにはエアを吐出するポンプ等に繋がるチューブがハウジング２の外部から接続され、出口コネクタ９１Ｂにはハウジング２から流出するエアを排出するチューブがハウジング２の外部から接続される。ハウジング２の内部には、回転モータ２０を冷却するための空気が流通する金属製のパイプ（以下、冷却パイプ９２という。）が設けられており、この冷却パイプ９２の一端は、入口コネクタ９１Ａに接続されている。冷却パイプ９２は、入口コネクタ９１ＡからＺ軸方向にハウジング２の下端面２０２付近まで延び、該下端面２０２付近において湾曲して他端側が回転モータ２０に向くように形成されている。このように、Ｚ軸方向の下側からハウジング２内に空気を供給することにより、効率的な冷却が可能となる。また、冷却パイプ９２は、直動モータ３０のコイル３１Ａから熱を奪うように、該固定子３１の内部を貫通している。固定子３１に設けられているコイル３１Ａからより多くの熱を奪うように、冷却パイプ９２の周りにコイル３１Ａが配置されている。
【００２７】
ハウジング２のＺ軸方向の上端面２０１には、電力を供給する電線や信号線を含んだコネクタ４１が接続されている。また、ハウジング２には、コントローラ７が設けられてい
る。コネクタ４１からハウジング２内に引き込まれる電線や信号線は、コントローラ７に接続されている。コントローラ７には、ＣＰＵ（Central Processing Unit）、ＲＡＭ（Random Access Memory）、ＲＯＭ（Read Only Memory）、ＥＰＲＯＭ（Erasable Programmable ROM）が備わり、これらはバスにより相互に接続される。ＥＰＲＯＭには、各種プログラム、各種テーブル等が格納される。ＥＰＲＯＭに格納されたプログラムをＣＰＵがＲＡＭの作業領域にロードして実行し、このプログラムの実行を通じて、回転モータ２０、直動モータ３０、正圧電磁弁６３Ａ、負圧電磁弁６３Ｂ等が制御される。これにより、所定の目的に合致した機能をＣＰＵが実現する。また、圧力センサ６４、流量センサ６５、ひずみゲージ３７、ロータリエンコーダ２４、リニアエンコーダ３８の出力信号がコントローラ７に入力される。
【００２８】
図３は、シャフトハウジング５０とシャフト１０の先端部１０Ａとの概略構成を示した断面図である。シャフトハウジング５０は、ハウジング本体５１と、２つのリング５２と、フィルタ５３と、フィルタ止め５４とを有する。ハウジング本体５１には、シャフト１０が挿通される貫通孔５１Ａが形成されている。貫通孔５１Ａは、Ｚ軸方向にハウジング本体５１を貫通しており、該貫通孔５１ＡのＺ軸方向の上端は、ハウジング２に形成された貫通孔２Ａに通じている。貫通孔５１Ａの直径はシャフト１０の外径よりも大きい。そのため、貫通孔５１Ａの内面とシャフト１０の外面とには隙間が設けられている。貫通孔５１Ａの両端部には、孔の直径が拡大された拡径部５１Ｂが設けられている。２つの拡径部５１Ｂには、夫々リング５２が嵌め込まれている。リング５２は筒状に形成されており、リング５２の内径はシャフト１０の外径よりも若干大きい。そのため、リング５２の内面とシャフト１０の外面との間にも隙間が形成される。したがって、シャフト１０がリング５２の内部をＺ軸方向に移動可能であり、且つ、シャフト１０がリング５２の内部を中心軸１００回りに回転可能である。ただし、拡径部５１Ｂを除く貫通孔５１Ａの内面とシャフト１０の外面との間に形成される隙間よりも、リング５２の内面とシャフト１０の外面との間に形成される隙間の方が小さい。なお、Ｚ軸方向上側のリング５２を第一リング５２Ａといい、Ｚ軸方向下側のリング５２を第二リング５２Ｂとする。第一リング５２Ａと第二リング５２Ｂとを区別しない場合には、単にリング５２という。リング５２の材料には、例えば金属または樹脂を用いることができる。
【００２９】
ハウジング本体５１のＺ軸方向の中央部には、Ｘ軸方向の左右両方向に張り出した張出部５１１が形成されている。張出部５１１には、ハウジング２の下端面２０２と平行な面であって、シャフトハウジング５０をハウジング２の下端面２０２へ取り付けるときに、該下端面２０２と接する面である取付面５１１Ａが形成されている。取付面５１１Ａは、中心軸１００と直交する面である。また、ハウジング２にシャフトハウジング５０を取り付けたときに、シャフトハウジング５０の一部であって取付面５１１ＡよりもＺ軸方向の上側の部分５１２は、ハウジング２に形成された凹部２０２Ｂに嵌るように形成されている。
【００３０】
上記のとおり、貫通孔５１Ａの内面とシャフト１０の外面とには隙間が設けられている。その結果、ハウジング本体５１の内部には、貫通孔５１Ａの内面と、シャフト１０の外面と、第一リング５２Ａの下端面と、第二リング５２Ｂの上端面とによって囲まれた空間である内部空間５００が形成されている。また、シャフトハウジング５０には、ハウジング２の下端面２０２に形成されるエア流通路２０２Ａの開口部と、内部空間５００とを連通して空気の通路となる制御通路５０１が形成されている。制御通路５０１は、Ｘ軸方向に延びる第一通路５０１Ａ、Ｚ軸方向に延びる第二通路５０１Ｂ、第一通路５０１Ａ及び第二通路５０１Ｂが接続される空間であってフィルタ５３が配置される空間であるフィルタ部５０１Ｃを有する。第一通路５０１Ａの一端は内部空間５００に接続され、他端はフィルタ部５０１Ｃに接続されている。第二通路５０１Ｂの一端は、取付面５１１Ａに開口しており、エア流通路２０２Ａの開口部に接続されるように位置が合わされている。
【００３１】
また、第二通路５０１Ｂの他端はフィルタ部５０１Ｃに接続される。フィルタ部５０１Ｃには、円筒状に形成されたフィルタ５３が設けられている。フィルタ部５０１Ｃは、第一通路５０１Ａと中心軸が一致するようにＸ軸方向に延びた円柱形状の空間となるように形成されている。フィルタ部５０１Ｃの内径とフィルタ５３の外径とは略等しい。フィルタ５３は、Ｘ軸方向にフィルタ部５０１Ｃへ挿入される。フィルタ部５０１Ｃにフィルタ５３が挿入された後に、フィルタ止め５４によってフィルタ５３の挿入口となったフィルタ部５０１Ｃの端部が閉塞される。第二通路５０１Ｂの他端は、フィルタ５３の外周面側からフィルタ部５０１Ｃに接続されている。また、第一通路５０１Ａの他端はフィルタ５３の中心側と通じている。そのため、第一通路５０１Ａと第二通路５０１Ｂとの間を流通する空気は、フィルタ５３を通過する。したがって、例えば、先端部１０Ａに負圧を発生させたときに、内部空間５００に空気と一緒に異物を吸い込んだとしても、この異物はフィルタ５３によって捕集される。第二通路５０１Ｂの一端には、シール剤を保持するように溝５０１Ｄが形成されている。
【００３２】
張出部５１１のＸ軸方向の両端部付近には、該シャフトハウジング５０をハウジング２にボルトを用いて固定するときに、該ボルトを挿通させるボルト孔５１Ｇが２つ形成されている。ボルト孔５１Ｇは、Ｚ軸方向に張出部５１１を貫通して取付面５１１Ａに開口している。
【００３３】
シャフト１０の先端部１０Ａ側には、シャフト１０が中空となるように中空部１１が形成されている。中空部１１の一端は、先端部１０Ａで開口している。また、中空部１１の他端には、内部空間５００と中空部１１とをＸ軸方向に連通する連通孔１２が形成されている。直動モータ３０によってシャフト１０がＺ軸方向に移動したときのストロークの全範囲において、内部空間５００と中空部１１とが連通するように連通孔１２が形成されている。したがって、シャフト１０の先端部１０Ａと、エア制御機構６０とは、中空部１１、連通孔１２、内部空間５００、制御通路５０１、エア流通路２０２Ａを介して連通している。なお、連通孔１２は、Ｘ軸方向に加えてＹ軸方向にも形成されていてもよい。
【００３４】
このような構成によれば、直動モータ３０を駆動してシャフト１０をＺ軸方向に移動させたときに、シャフト１０がＺ軸方向のどの位置にあっても、連通孔１２は常に内部空間５００と中空部１１とを連通する。また、回転モータ２０を駆動してシャフト１０を中心軸１００回りに回転させたときに、シャフト１０の回転角度が中心軸１００回りのどの角度であっても、連通孔１２は常に内部空間５００と中空部１１とを連通する。したがって、シャフト１０がどのような状態であっても、中空部１１と内部空間５００との連通状態が維持されるため、中空部１１は常にエア制御機構６０に通じていることになる。そのため、シャフト１０の位置にかかわらず、エア制御機構６０において正圧電磁弁６３Ａを閉じ、負圧電磁弁６３Ｂを開くと、エア流通路２０２Ａ、制御通路５０１、内部空間５００、および連通孔１２を介して、中空部１１内の空気が吸引されることになる。その結果、中空部１１に負圧を発生させることができる。すなわち、シャフト１０の先端部１０Ａに負圧を発生させることができるので、シャフト１０の先端部１０ＡにワークＷを吸い付けることができる。なお、上述したように、リング５２の内面とシャフト１０の外面との間にも隙間が形成されている。しかしながら、この隙間は、内部空間５００を形成する隙間（すなわち、貫通孔５１Ａの内面とシャフト１０の外面との間に形成される隙間）よりも小さい。そのため、エア制御機構６０において正圧電磁弁６３Ａを閉じ、負圧電磁弁６３Ｂを開くことで、内部空間５００内から空気が吸引されても、リング５２の内面とシャフト１０の外面との間の隙間を流通する空気の流量を抑制することができる。これにより、ワークＷをピックアップできるような負圧をシャフト１０の先端部１０Ａに発生させることができる。一方、シャフト１０の位置にかかわらず、エア制御機構６０において正圧電磁弁６３Ａを開き、負圧電磁弁６３Ｂを閉じると、中空部１１に正圧を発生させることが
できる。すなわち、シャフト１０の先端部１０Ａに正圧を発生させることができるので、シャフト１０の先端部１０ＡからワークＷを速やかに脱離させることができる。
【００３５】
（ピックアンドプレイス動作）
アクチュエータ１を用いたワークＷのピックアンドプレイスについて説明する。ピックアンドプレイスは、コントローラ７が所定のプログラムを実行することにより行われる。ワークＷのピックアップ時において、シャフト１０がワークＷに接触するまでは、正圧電磁弁６３Ａ及び負圧電磁弁６３Ｂは共に閉じた状態とする。この場合、シャフト１０の先端部１０Ａの圧力は大気圧となる。そして、直動モータ３０によりシャフト１０をＺ軸方向下側に移動させる。シャフト１０がワークＷに接触すると、直動モータ３０を停止させる。直動モータ３０を停止後に負圧電磁弁６３Ｂを開くことにより、シャフト１０の先端部１０Ａに負圧を発生させ、ワークＷをシャフト１０の先端部１０Ａに吸い付ける。
【００３６】
ここで、ワークＷがシャフト１０の先端部１０Ａに吸い付くと、共用通路６１Ｃ内の空気の圧力および流量が変化する。そのため、圧力センサ６４および／または流量センサ６５によって、ワークＷがシャフト１０の先端部１０Ａに吸い付いたことを検知することができる。そして、圧力センサ６４および／または流量センサ６５によって、ワークＷがシャフト１０の先端部１０Ａに吸い付いたことが検知された後、直動モータ３０によりシャフト１０をＺ軸方向上側に移動させる。このときに、必要に応じて、回転モータ２０によりシャフト１０を回転させる。このようにして、ワークＷをピックアップすることができる。なお、回転モータ２０によるシャフト１０の回転は、ワークＷのピックアップの完了後（すなわち、直動モータ３０によるシャフト１０をＺ軸方向上側への移動完了後）に実行してもよい。
【００３７】
次に、ワークＷのプレイス時には、ワークＷが先端部１０Ａに吸い付いている状態のシャフト１０を直動モータ３０によりＺ軸方向の下側に移動させる。ワークＷが接地すると、直動モータ３０を停止させることで、シャフト１０の移動を停止させる。さらに、負圧電磁弁６３Ｂを閉じ且つ正圧電磁弁６３Ａを開くことにより、シャフト１０の先端部１０Ａに正圧を発生させる。その後、直動モータ３０によりシャフト１０をＺ軸方向の上側に移動させることにより、シャフト１０の先端部１０ＡがワークＷから離れる。
【００３８】
ここで、ワークＷのピックアップ時において、シャフト１０の先端部１０ＡがワークＷに接触したことをひずみゲージ３７を用いて検出する。以下では、この方法について説明する。なお、ワークＷのプレイス時においてワークＷが接地したことも同様にして検出することができる。シャフト１０の先端部１０ＡがワークＷに接触して先端部１０ＡがワークＷを押すと、シャフト１０とワークＷとの間に荷重が発生する。すなわち、シャフト１０がワークＷに力を加えたときの反作用によって、シャフト１０がワークＷから力を受ける。このシャフト１０がワークＷから受ける力は、連結アーム３６に対してひずみを発生させる方向に作用する。すなわち、このときに連結アーム３６にひずみが生じる。このひずみは、ひずみゲージ３７によって検出される。そして、ひずみゲージ３７が検出するひずみは、シャフト１０がワークＷから受ける力と相関関係にある。このため、ひずみゲージ３７の検出値に基づいて、ワークＷからシャフト１０が受ける力、すなわち、シャフト１０とワークＷとの間に発生した荷重を検出することができる。ひずみゲージの検出値と荷重との関係は予め実験またはシミュレーション等により求めることができる。
【００３９】
このように、ひずみゲージ３７の検出値に基づいてシャフト１０とワークＷとの間に発生した荷重を検出することができるため、例えば、荷重が発生した時点でシャフト１０の先端部１０ＡがワークＷに接触したと判断してもよいし、誤差等の影響を考慮して、検出された荷重が所定荷重以上の場合に、シャフト１０の先端部１０ＡがワークＷに接触したと判断してもよい。なお、所定荷重は、シャフト１０がワークＷに接触したと判定される
閾値である。また、所定荷重をワークＷの破損を抑制しつつワークＷをより確実にピックアップすることが可能な荷重として設定してもよい。また、所定荷重は、ワークＷの種類に応じて変更することもできる。
【００４０】
（アクチュエータユニット）
図４は、本実施形態に係るアクチュエータユニットの概略構成図を示す図である。図４に示すように、本実施形態に係るアクチュエータユニット７００は、図１〜３に示すアクチュエータ１をＹ軸方向に複数積層することで構成される。図４に示すアクチュエータユニット７００では、４つのアクチュエータ１ａ、１ｂ、１ｃ、１ｄが積層されている。なお、アクチュエータユニットにおいて積層されるアクチュエータの数は４つに限られるものではない。
【００４１】
ここで、上記のように、アクチュエータ１では、シャフト１０が、ハウジング２におけるＸ軸方向（すなわち、シャフト１０の中心軸１００と直交する方向）の中央に配置されている。これにより、図２に示すように、ハウジング２内において、シャフト１０を挟んで、Ｘ軸方向の両側に二つの領域が形成される。すなわち、ハウジング２内には、図２において、シャフト１０を挟んで、向かって左側の領域（以下、「左側領域」と称する。）と、向かって右側の領域（以下、「右側領域」と称する。）と、が形成される。また、直動モータ３０は、ハウジング２内の左側領域に配置されている。
【００４２】
そして、アクチュエータユニット７００では、隣り合う二つのアクチュエータ１の表裏が互い違いとなるように各アクチュエータ１が積層されている。図５は、図４に示すアクチュエータユニット７００含まれる二つのアクチュエータ１ａ、１ｂそれぞれにおける直動モータ３０ａ、３０ｂの相対位置を示す図である。
【００４３】
アクチュエータ１では、シャフト１０が、ハウジング２におけるＸ軸方向の中央に配置されている。そのため、隣り合う二つのアクチュエータ１の表裏が互い違いとなるように複数のアクチュエータ１を積層しても、各アクチュエータ１におけるＸ軸方向におけるシャフト１０の位置は、ハウジング２の中央であって、同一の位置となる。したがって、図５に示すように、二つのアクチュエータ１ａ、１ｂの表裏を互い違いにして積層させた場合であっても、それぞれのシャフト１０ａ、１０ｂおよび回転モータ２０ａ、２０ｂのＸ軸方向における位置は重なり合っている。
【００４４】
一方で、このように二つのアクチュエータ１ａ、１ｂの表裏を互い違いにして積層させた場合、一方のアクチュエータ１ａの左側領域と、他方のアクチュエータ１ｂの右側領域とが重なり合うことになる。換言すれば、二つのアクチュエータ１ａ、１ｂにおいて、それぞれの左側領域が重なり合わず、互いの左側領域が、Ｘ軸方向において、それぞれのシャフト１０ａ、１０ｂを挟んで反対側に位置することになる。その結果、図５に示すように、二つのアクチュエータ１ａ、１ｂにおいて、それぞれのシャフト１０ａ、１０ｂを中心として、それぞれの直動モータ３０ａ、３０ｂのＸ軸方向の位置が互い違いとなる。つまり、アクチュエータ１ａでは、図５において、シャフト１０ａに対して、向かって左側に直動モータ３０ａが位置するのに対し、アクチュエータ１ｂでは、図５において、シャフト１０ｂに対して、向かって右側に直動モータ３０ａが位置することになる。
【００４５】
このように、アクチュエータユニット７００では、隣り合う二つのアクチュエータ１における互いの直動モータ３０の位置が重なり合わないように複数のアクチュエータ１が積層されている。
【００４６】
（本実施形態に係る構成の効果）
アクチュエータユニットでは、複数のアクチュエータが積層されるため、仮に、隣り合
う二つのアクチュエータにおける互いの直動モータの位置が重なり合ってしまうと、それぞれの直動モータ間の距離が比較的近くなる。これに対し、本実施形態に係るアクチュエータユニット７００においては、上記のとおり、隣り合う二つのアクチュエータ１における互いの直動モータ３０の位置が重なり合わないように複数のアクチュエータ１が積層されている。そのため、隣り合う二つのアクチュエータ１における互いの直動モータ３０の位置が重なり合ってしまう場合に比べて、それぞれの直動モータ３０間の距離が長くなる。そのため、一方の直動モータ３０から発生する磁界が他方の直動モータ３０に達し難くなる。
【００４７】
複数のアクチュエータが積層されることで構成されるアクチュエータユニットにおいては、隣り合う二つのアクチュエータのうち、一方のアクチュエータにおける直動モータから発生する磁界が他方のアクチュエータにおける直動モータに達してしまうと、該他方のアクチュエータにおける直動モータの動作に影響を与えてしまう可能性がある。そうなると、各アクチュエータの制御精度が低下してしまう虞がある。これに対し、本実施形態に係るアクチュエータユニット７００では、隣り合う二つのアクチュエータ１間において、一方のアクチュエータ１における直動モータ３０から発生する磁界が他方のアクチュエータ１における直動モータ３０に対して影響を与え難くなる。したがって、複数のアクチュエータ１が積層されることで構成されるアクチュエータユニット７００における各アクチュエータ１の制御精度が低下してしまうことを抑制することができる。
【００４８】
また、各アクチュエータ１の直動モータ３０からは駆動に起因する熱が発せられる場合がある。このとき、アクチュエータユニット７００において、隣り合う二つのアクチュエータ１における互いの直動モータ３０の位置が重なり合わないように複数のアクチュエータ１が積層されることで、該互いの直動モータ３０の位置が重なり合ってしまう場合に比べて、各アクチュエータ１の直動モータ３０から発せられる熱が分散され易くなる。つまり、アクチュエータユニット７００全体における発熱量の分布が、Ｘ軸方向においてシャフト１０を挟んで形成される二つの領域の一方の側に集中してしまうことを抑制することができる。そのため、アクチュエータユニット７００において、直動モータ３０から発せられる熱による各アクチュエータ１への影響を小さくすることができる。
【００４９】
（変形例）
なお、上記の実施形態では、アクチュエータ１のハウジング２内において、左側領域に直動モータ３０が配置され、右側領域にエア制御機構６０が配置される構成とした。ただし、アクチュエータ１のハウジング２内における直動モータ３０およびエア制御機構６０の配置はこれに限られるのもではない。例えば、アクチュエータ１のハウジング２内における、右側領域および左側領域のうちの一方の領域に直動モータ３０およびエア制御機構６０の両方を配置してもよい。ただし、このような配置を採用した場合であっても、アクチュエータユニット７００においては、隣り合う二つのアクチュエータ１の表裏を互い違いにして積層させる。これにより、アクチュエータユニット７００において、隣り合う二つのアクチュエータ１における互いの直動モータ３０の位置が重なり合わないように複数のアクチュエータ１が積層されることになる。その結果、上記の実施形態と同様の効果を得ることが可能となる。
【００５０】
また、各アクチュエータのハウジング内にエア制御機構が設けられておらず、該エア制御機構が外部に設けられている場合でも、アクチュエータユニットを、隣り合う二つのアクチュエータにおける互いの直動モータの位置が重なり合わないように複数のアクチュエータが積層された構成とすることで、上記の実施形態と同様の効果を得ることが可能となる。
【符号の説明】
【００５１】
１・・・アクチュエータ、２・・・ハウジング、１０・・・シャフト、１０Ａ・・・先端部、１１・・・中空部、２０・・・回転モータ、２２・・・固定子、２３・・・回転子、３０・・・直動モータ、３１・・・固定子、３２・・・可動子、３６・・・連結アーム、３７・・・ひずみゲージ、５０・・・シャフトハウジング、６０・・・エア制御機構、５００・・・内部空間、５０１・・・制御通路、７００・・・アクチュエータユニット
【図１】
2020065426.tif 000003
【図２】
2020065426.tif 000004
【図３】
2020065426.tif 000005
【図４】
2020065426.tif 000006
【図５】
2020065426.tif 000007